(57)【要約】【課題】コネクタの改良構造を提供する【解決手段】  シェルパーツ、プラグパーツ、弾性抵触片及びロック解除パーツからなるコネクタで、シェルパーツの両端に延伸する複数の溝を設け、各溝と凹穴の間に穴を設け、複数のプラグパーツはそれぞれ各穴及び凹穴内に延伸する導電部及び各溝内に設ける配線部品を具有し、導電部は接続部により引受部を接続し、配線部品は引受部に挿入して結合し、弾性抵触片を収納する収納スペースを設け、各弾性抵触片は斜めに伸びる抵触端を有し、収納スペース内に挿入する導線を弾性的に掛止する。抵触端の片側に収納スペース外に突出するサイド凸部を設け、ロック解除パーツは各配線部品の横にプッシュブロックを設け、溝外に突出するプッシュパーツと結合し、且つ弾性抵触片のサイド凸部が溝に沿ってスライドするルートの上に設置し、サイド凸部が押す力により、抵触端を連動し掛止されていた導線を緩めることができる。【選択図】  図７
2020043072.tif 000002
【特許請求の範囲】
【請求項１】
シェルパーツ、プラグパーツ、弾性抵触片及びロック解除パーツを含み、
該シェルパーツは端部の周りに、少なくとも軸方向に沿って延伸する溝を設け、該プラグパーツは互いに電気接続する導電部及び配線部品を具有し、該配線部品の該導電部から遠い一端に収納スペースを設け、該弾性抵触片は該収納スペース内に設置し、且つ弾性抵触片の一端は収納スペース内にて斜めに伸びる抵触端を形成し、それにより該収納スペース内に挿入する導線を抵触し、ロック解除パーツは各配線部品のサイドに設置し、且つ局部が該溝の外に突出するプッシュパーツを具有し、該プッシュパーツは、該溝内に向けて、プッシュブロックを設け、且つ該弾性抵触片の局部がちょうど該プッシュブロックの該溝に沿ってスライドするルートの上に設置することで、該弾性抵触片の局部がプッシュブロックの押す力により、該抵触端を連動して抵触されていた導線を緩むことができることを特徴とするコネクタの改良構造。
【請求項２】
前記導電部の一端は可とう性のある接続部を通じて引受部を連結し、該引受部に引受穴を設け、該配線部品に該引受穴に挿入できるプラグ凸部を設け、該プラグ凸部を利用して該引受穴内に挿入することで、該導電部と該配線部品が互いに結合し、導電部は導電ジャック、導電柱の中から少なくとも一つを選ぶことを特徴とする請求項１記載のコネクタの改良構造。
【請求項３】
前記収納スペースに窪み口を具有し、該窪み口の両サイドにはそれぞれサイドノッチを設け、該収納スペース内の該導電部に近い片側に中空の定位切欠口を設け、該定位切欠口の両サイドにはそれぞれサイドピットを設け、該弾性抵触片には、該抵触端の反対側に固定端を設け、該固定端の両サイドには、外向きに突出するサイドバンプを設け、該弾性抵触片の両サイド中段に、それぞれサイドリブを設け、該固定端を利用して該配線部品の定位切欠口内に挿入し、且つ二つのサイドバンプを以って、該サイドピット内に嵌合し、二つのサイドリブと合わせて二つのサイドノッチ内に掛合することで、該弾性抵触片を該収納スペース内に定位することができ、そして、該抵触端は窪み口から離れる方向に向けて斜めに伸びることを特徴とする請求項１或いは請求項２記載のコネクタの改良構造。
【請求項４】
前記抵触端の片側において、収納スペース外に突起するサイド凸部を設け、該サイド凸部は、該プッシュブロックに向かって突出する曲面を具有し、該プッシュブロックは対応面に凹部を設けることで、該プッシュブロックを該サイド凸部の位置に移動し、該弾性抵触片の弾性力を利用すると、該曲面が該凹部内を抵触して定位を形成することを特徴とする請求項１或いは請求項２或いは請求項３記載のコネクタの改良構造。
【請求項５】
前記シェルパーツは互いに接続結合する第一及び第二シェルで構成し、該複数の溝は該第一シェルの外周側に設置し、該第二シェルは、二つの端面にそれぞれ凹穴及び端凹部を設け、且つ該端凹部は該第一シェルに向かい、且つ各溝と連通し、該凹穴及び端凹部の間には、複数の連通する穴を設け、該導電部は該各穴内に設置し、且つ一端を該凹穴内に挿入することを特徴とする請求項１或いは請求項２或いは請求項３或いは請求項４記載のコネクタの改良構造。
【請求項６】
前記第一シェルは、該第二シェルから離れた一端に、各溝端部に挿入するストッパー部を設け、それにより該プッシュブロックが溝内でのスライド範囲を制限し、且つ該ストッパー部が対応する各溝の部位にそれぞれ導線ジャック及び切欠口を設け、該導線ジャックにより該導線を外部から該溝内に挿入させ、該切欠口により平たいツールが外部から通過し、且つ該プッシュブロックを押して移動できることを特徴とする請求項５記載のコネクタの改良構造。
【請求項７】
前記第二シェルの該第一シェルに近い端面に、複数のサイド陥没部を凹設し、該複数のサイド陥没部内に、定位凹部を凹設し、該第一シェルの該第二シェルに近い端面に、相対応するサイド突起部を凸設し、該複数のサイド突起部に、該定位凹部内に嵌合できる定位凸部を設け、該複数のサイド突起部を利用して、該複数の対応するサイド陥没部内に挿入し、且つ定位凸部を定位凹部内に嵌めることで、第一、第二シェルが接続固定を形成することを特徴とする請求項５或いは請求項６記載のコネクタの改良構造。
【請求項８】
前記第二シェルの該凹穴から離れた一端の、各穴の横にそれぞれ凸部を設け、該凸部は該引受穴の該配線部品から離れた一端に挿入し、該第一シェルの中央に突出する抵触部を設け、該抵触部は各導電部の該配線部品に近い端面を抵触することができるため、各導電部が各穴内において定位を形成することを特徴とする請求項５或いは請求項６或いは請求項７記載のコネクタの改良構造。
【請求項９】
前記各溝内の、該プッシュブロックの横に、互いに抵触する弾性部品を設け、且つ該プッシュパーツに凸柱を設けて、該弾性部品内に嵌めて定位を形成することを特徴とする請求項１或いは請求項２或いは請求項３或いは請求項４或いは請求項５或いは請求項６或いは請求項７或いは請求項８記載のコネクタの改良構造。
【発明の詳細な説明】
【技術分野】
【０００１】
本発明はコネクタの改良構造に関し、特に材料の使用量を少なくし、使用変化が多いコネクタの構造に関する。
【背景技術】
【０００２】
相対してドッキングするコネクタの領域において、如何にして該コネクタがドッキングする導線と接続しやすくするのか、また、接続した後、安定を保ち、緩みにくい接続になるのかが、大事な課題の一つである。
【０００３】
例えば：中国特許ＣＮ１０２７９２５２３Ａにて開示したのは一種のプラグ式コネクタであり、それは一つの接触ポイントのキャリー部品内部に、複数の異なる排列位置に対応する中空柱型のケースの接触ポイント部品を設け、各接触ポイントの部品はそれぞれ一つの導体接続クランプ、一つのプラグ及び該両者の間を接続する可とう性のある接続部品である。該導体接続クランプは、一つのより線を挿入させて固定することができ、該プラグは該中空の柱型ケースの中に挿入することができる。このような構造は、該接触ポイントが過大な外力を受けた際に、該導体接続クランプは該プラグに相対して移動する。該可とう性のある接続部品を利用することにより、各より線の長さの違いを調整すると共に、高さ(縦方向)の変位及び横向きの移動を行うことで、角度の変位を補う。同じように、ドイツ特許ＤＥ１０２５５１９０Ｂ４においても、類似の構造を掲示している。
【０００４】
この類の構造は、該導体接続クランプとプラグの間に、一定の長さの接続部品を設けるため、該導体接続クランプとプラグとの間に、異なる中心の横向き変位にある場合、該接続部品は異なる割合の傾きが生じる。この傾き現象により、導体接続クランプとプラグとの間の縦方向の間隔距離に変化が生まれる。実際応用する際、コネクタの各プラグの位置が固定である場合、異なる導体接続クランプの位置が、該より線の挿入する深さを変え、該より線が該導体接続クランプの内部での結合定位の安定性に直接影響を及ぼす。
【０００５】
更に、仮に該導体接続クランプ、プラグと接続部品は一体成型の構造である場合、該全体の材料のサイズも比較的大きく、比較的多くのロスが生じて浪費に繋がりやすい。また、該完成品、及び半完成品はいずれも共用性(使用範囲)の制限がある。仮に該接続部品が、該導体接続クランプとプラグの間に溶接する場合、人件費が高くなるのは必須であり、また、該接続部品の材料も弾力性が高く、且つ高い導電性を具有する特殊な鈑材を使わなければならず、生産コストも増える。
【０００６】
ベルギー特許ＢＥ２０１７／５１１６において、一種のスプリングコネクタを掲示し、該一つの円形コネクタのケースの一端のサイドに、軸方向に延伸する複数の溝を設ける。各溝の該ケースの中段に近い片側に、それぞれ外向きに開けられる回転棒を枢設し、各溝の中に、それぞれ一つの接続装置を設置する。各接続装置はそれぞれ一つの導電した接続部が、該ケースの別端に向かって延伸する一つの接続ラッチによって連結し、且つ該接続装置は二つの相対するサイド壁によって定める一つの収納スペースを具有する。
該収納スペースの頂端に、導線が挿入できる窪み口を設け、且つ該窪み口内に向かって一つの導電レールを延伸する。該収納スペースが該ケースの外周サイド向けに、片側は中空であり、一つの接触弾性片を入れることができる。該接触弾性片は該回転棒が内側に蓋合することによって押された後、一端が該導線に抵触することで、該導線は簡単に逆方向に緩むことがなく、該導電レールとしっかりと接触を保つ。該回転棒が外側に向けて開く際、該接触弾性片を緩み、且つ該導線の抵触を解除することで、導線は簡単に該窪み口から外側に引き出すことができる。
【０００７】
上記の構造において、該接続装置と接続ラッチとの間には、一定の長さの接続部を設けるため、同じ原因により、前述のように、該導線が該接続装置内部にて結合定位する安定性に影響を及ぼし、及び人件費と生産コストの増加などの問題に繋がる。
【０００８】
実際使用する際、該ベルギー特許ＢＥ２０１７／５１１６は、導線をコネクタの中に挿入する、或いはコネクタから導線を引き出すなど、いずれも必ず該回転棒を外側に開くことになり、それにより該接触弾性片を緩ませる。操作使用上の不便になるだけでなく、材料及びサイズの制限があり、該回転棒自身とケースとの間の結合強度が悪く、摩損或いは不当な使用により、固定し難く、緩んで損壊或いは有効的に接触弾性片を抵触できないなど、応用する上での欠点があることを鑑みて、更なる改善が必要であった。
【先行技術文献】
【特許文献】
【０００９】
【特許文献１】中国特許ＣＮ１０２７９２５２３Ａ
【特許文献２】ドイツ特許ＤＥ１０２５５１９０Ｂ４
【特許文献３】ベルギー特許ＢＥ２０１７／５１１６
【発明の概要】
【発明が解決しようとする課題】
【００１０】
本発明の第１の目的は、一種のコネクタの改良構造を提供することにあり、一つのシェルパーツ内に、予め設定した方法に基づき排列する複数のプラグパーツを設け、各プラグパーツはそれぞれ一つの導電部及び一つの配線部品を具有する。該導電部の一端は可とう性のある一つの接続部により一つの引受部品を接続する。該配線部品は片側に、外部より挿入して掛止する一つの導線を収納し、該配線部品の別側は、局部部位を該引受部品内に挿入して嵌合し、結合を形成する。このようなプラグパーツを導電部及び配線部品が互いに接続するデザインに分解することを介し、有効的に各構成部品の材料のサイズを小さくし、材料の浪費を減少することができる。
また、該配線部品を共用する前提において、異なる規格の導電部を交換するだけで(オス端の導電凸柱或いはメス端の導電ジャックとすることができる)、各種の異なる規格の、同類のコネクタ製品に応用することができる。よって、使用の変化が多く、製品の経済効果が上がる。
【００１１】
本発明の第２の目的は、一種のコネクタの改良構造を提供することにあり、各配線部品内にそれぞれ一つの弾性抵触片を設ける。該弾性抵触片には、導線を挿入し、且つそれを定位に掛止して抵触する抵触端を具有する。且つ該抵触端の片側にサイド凸部を設け、また各配線部品のサイドにそれぞれ一つのロック解除パーツを設ける。各ロック解除パーツは一つのプッシュパーツ及び該プッシュパーツに弾性的に働く弾性部品を具有する。該プッシュパーツの該配線部品に向かう片側に一つのプッシュブロックを設け、且つ該弾性抵触片のサイド凸部はちょうど該プッシュブロックの可動ルートに設置することで、該弾性抵触片が導線を掛止して定位を形成する状態において、該プッシュパーツを利用してプッシュブロックを連動し、該サイド凸部を押して抵触することができる。それにより、該弾性抵触片の抵触端は該導線の掛止を緩めることができ、よって導線を外側に引っ張り出すのに便利となる。このようなデザインは、最良な構造強度を具有するだけでなく、各パーツの動きがシンプル、確実であると同時に、操作上においても、最良の便利性を具有する。
【課題を解決するための手段】
【００１２】
上述の目的を解決するために、本発明はコネクタの改良構造を提供するものであり、含まれるのはシェルパーツ、プラグパーツ、弾性抵触片及びロック解除パーツである。該シェルパーツは一つの端部の周りに、少なくとも軸方向に沿って延伸する溝を設ける。該プラグパーツは互いに可とう性を具有して差し込み結合する一つの導電部及び一つの配線部品を具有し、該配線部品の該導電部から遠い一端に一つの収納スペースを設ける。該弾性抵触片は該収納スペース内に設置し、且つ弾性抵触片の一端は収納スペース内にて斜めに伸びる一つの抵触端を形成し、それにより該収納スペース内に挿入する導線を抵触する。
該ロック解除パーツは配線部品のサイドに設置し、且つ局部が該溝の外に突出する一つのプッシュパーツを具有し、該プッシュパーツは、該溝内に向けて、一つのプッシュブロックを設け、且つ該弾性抵触片の局部がちょうど該プッシュブロックの該溝に沿ってスライドするルートの上に設置することで、該弾性抵触片の局部がプッシュブロックの押す力により、該抵触端を連動して抵触されていた導線を緩むことができる。
【００１３】
上述の構造により、該導電部の一端は可とう性のある一つの接続部を通じて一つの引受部を連結し、該引受部に一つの引受穴を設ける。該配線部品に該引受穴に挿入できる一つのプラグ凸部を設け、該プラグ凸部を利用して該引受穴内に挿入することで、該導電部と該配線部品が互いに結合できる。
【００１４】
上述の構造により、該導電部は導電ジャック、導電柱の中から少なくとも一つを選ぶ。
【００１５】
上述の構造により、該収納スペースに一つの窪み口を具有し、該窪み口の両サイドにはそれぞれ一つのサイドノッチを設ける。該収納スペース内の該導電部に近い片側に中空の定位切欠口を設け、該定位切欠口の両サイドにはそれぞれ一つのサイドピットを設ける。該弾性抵触片には、該抵触端の反対側に固定端を設け、該固定端の両サイドには、外向きに突出するサイドバンプを設ける。該弾性抵触片の両サイド中段に、それぞれ一つのサイドリブを設け、該固定端を利用して該配線部品の定位切欠口内に挿入し、且つ二つのサイドバンプを以って、該サイドピット内に嵌合し、二つのサイドリブと合わせて二つのサイドノッチ内に掛合することで、該弾性抵触片を該収納スペース内に定位することができ、そして、該抵触端は窪み口から離れる方向に向けて斜めに伸びる。
【００１６】
上述の構造により、該抵触端の片側において、収納スペース外に突起するサイド凸部を設ける。該サイド凸部は、該プッシュブロックに向かって突出する曲面を具有し、該プッシュブロックは対応面に一つの凹部を設けることで、該プッシュブロックを該サイド凸部の位置に移動し、該弾性抵触片の弾性力を利用すると、該曲面が該凹部内を抵触して定位を形成する。
【００１７】
上述の構造により、該シェルパーツは互いに接続結合する第一シェル及び第二シェルで構成し、該複数の溝は該第一シェルの外周側に設置する。該第二シェルは、二つの端面にそれぞれ一つの凹穴及び一つの端凹部を設け、且つ該端凹部は該第一シェルに向かい、且つ各溝と連通する。該凹穴及び端凹部の間には、複数の連通する穴を設け、該導電部は該各穴内に設置し、且つ一端を該凹穴内に挿入する。
【００１８】
上述の構造により、該第一シェルは、該第二シェルから離れた一端に、各溝端部に挿入するストッパー部を設け、それにより該プッシュブロックが溝内でのスライド範囲を制限する。且つ該ストッパー部が対応する各溝の部位にそれぞれ一つの導線ジャック及び一つの切欠口を設ける。該導線ジャックにより該導線を外部から該溝内に挿入させ、該切欠口により一つの平たいツールが外部から通過し、且つ該プッシュブロックを押して移動できる。
【００１９】
上述の構造により、該第二シェルの該第一シェルに近い一つの端面に、複数のサイド陥没部を凹設する。該複数のサイド陥没部内に、定位凹部を凹設し、該第一シェルの該第二シェルに近い一つの端面に、相対応するサイド突起部を凸設する。該複数のサイド突起部に、該定位凹部内に嵌合できる定位凸部を設け、該複数のサイド突起部を利用して、該複数の対応するサイド陥没部内に挿入し、且つ定位凸部を定位凹部内に嵌めることで、第一、第二シェルが接続固定を形成する。
【００２０】
上述の構造により、該第二シェルの該凹穴から離れた一端の、各穴の横にそれぞれ一つの凸部を設け、該凸部は該引受穴の該配線部品から離れた一端に挿入する。該第一シェルの中央に突出する一つの抵触部を設け、該抵触部は各導電部の該配線部品に近い一つの端面を抵触することができるため、各導電部が各穴内において定位を形成する。
【００２１】
上述の構造により、各溝内の、該プッシュブロックの横に、互いに抵触する一つの弾性部品を設け、且つ該プッシュパーツに一つの凸柱を設けて、該弾性部品内に嵌めて定位を形成する。
【発明の効果】
【００２２】
本発明の設計により、人件費、生産コスト及び材料のロスを押さえた使用変化が多いコネクタの構造である。
【図面の簡単な説明】
【００２３】
【図１】本発明の立体分解構造図である。
【図２】本発明の局部組立略図である。
【図３】本発明を後方から見た第一シェル及び関連パーツの局部組立略図である。
【図４】本発明の第二シェルの側視断面図である。
【図５】本発明の導電部の一部を該第二シェル内に設けた側視断面図である。
【図６】本発明の各導電部を組み合わせる際の関連位置略図である。
【図７】本発明のプラグパーツとロック解除パーツの関連位置略図である。
【図８】本発明のロック解除パーツが作動する前の位置略図である。
【図９】本発明の導線を配線部品に挿入し、且つ定位に掛止する状態略図である。
【図１０】本発明のロック解除パーツの動作により、配線部品が導線を緩む動作略図である。
【図１１】本発明のプラグパーツの第二実施例図である。
【発明を実施するための形態】
【実施例１】
【００２４】
上記の目的、効果及び特徴を具体的に理解するために、図面と共に以下に説明する。
【００２５】
図１から図７に示すように、本発明の構造に含まれるのはシェルパーツ１、プラグパーツ２、弾性抵触片３及びロック解除パーツ４などの部分である。その中、該シェルパーツ１は互いに接続結合する一つの第一シェル１１及び一つの第二シェル１２を具有し、該第一シェル１１の外周サイドに、内側に窪み、且つ軸方向に沿って延伸する複数の溝１１１を設ける。また、該第一シェル１１の該第二シェル１２に近い一端に、複数のサイド突起部１１５を設ける。
【００２６】
実行可能の一つの実施例において、該第一シェル１１は、該第二シェル１２から離れた一端に、各溝１１１端部に挿入する一つのストッパー部１１２を設ける。該ストッパー部１１２は各溝１１１に対応する部位に、それぞれ一つの導線ジャック１１３及び一つの切欠口１１４を設ける。
【００２７】
該第二シェル１２の二つの相対する端面に、それぞれ一つの凹穴１２１及び一つの端凹部１２７を設ける。該凹穴１２１と端凹部１２７との間に、複数の穴１２２を設ける。また、該端凹部１２７の内周サイドには、各サイド突起部１１５に対応するサイド陥没部１２５を設け、各サイド突起部１１５を利用して各サイド陥没部１２５内に挿入することで、該第一、第二シェル１１、１２は接続した状態を形成する。
【００２８】
実行可能の一つの実施例において、該複数のサイド陥没部１２５内に、それぞれ定位凹部１２６を凹設する。該サイド突起部１１５には、該定位凹部１２６内に対応して嵌合できる定位凸部１１６を設けることで、該第一、第二シェル１１、１２が安定して接続結合及び定位を形成し、且つ各穴１２２もまた、該端凹部１２７と各溝１１１によって、連通状態を形成する。
【００２９】
複数のプラグパーツ２はそれぞれ一つの導電部２１（本実施例において、該導電部はオス端のプラグに適用する一つの導電柱である）及び一つの配線部品２２を具有する。各導電部２１はそれぞれ各穴１２２内に設置し、且つ一端の局部を該凹穴１２１内に挿入する。各導電部２１の別端は可とう性のある一つの接続部２１１を通じて一つの引受部２１２を設置し、該引受部２１２に一つの引受穴２１３を設ける。
各配線部品２２は各溝１１１内に収納し、該配線部品２２の両端サイドには、それぞれ一つのプラグ凸部２２３及び一つの収納スペース２２１を設ける。該プラグ凸部２２３は該引受穴２１３内に挿入して結合を形成する。該収納スペース２２１は該導線ジャック１１３に向けた一つの窪み口２２２を具有し、該窪み口２２２の両サイドにはそれぞれ一つのサイドノッチ２２６を設ける。該収納スペース２２１内の該プラグ凸部２２３に近い片側に中空の定位切欠口２２４を設ける。また、該定位切欠口２２４の両サイドにはそれぞれ一つのサイドピット２２５を設ける。
【００３０】
実際に応用する際、該第二シェル１２内にある複数の穴１２２は、一般仕様に基づき、該凹穴１２１の中央に対応する一つの穴１２２を含み、その他の穴１２２は均等に該中央の穴１２２の周りに分布する。該複数の配線部品２２は各溝１１１内に設置しているため、周りの穴１２２と比較すると、中央に位置する穴１２２は比較的横向きに大きく変位する距離を具有する。
該横向きに変位する距離を調整するために、デザイン上、中央の穴１２２内に設置する導電部２１は、該接続部２１１を増やす、或いは引受部２１２の長さを長くすることで解決することができ、そのため、該導線Ａと該配線部品２２との間は、充分な接触面積を保つことができる。
【００３１】
実行可能の一つの実施例において、該端凹部１２７内において、各穴１２２と対応するサイドに、それぞれ一つの凸部１２３を設ける。該凸部１２３は該引受穴２１３の該配線部品２２と離れている一端に挿入する。また、該第一シェル１１の該第二シェル１２に近い片側中央に、突出する一つの抵触部１１７を設ける。該抵触部１１７は各導電部２１の該配線部品２２に近い一つの端面を抵触することができるため、各導電部２１は各穴１２２内にて安定した定位を形成する。
【００３２】
複数の弾性抵触片３はそれぞれ各配線部品２２の収納スペース２２１内に設置し、各弾性抵触片３の両端は、それぞれ一つの固定端３３及び一つの抵触端３１を設ける。該固定端３３の両サイドには、外向きに突出するサイドバンプ３４を設け、また、該弾性抵触片３の両サイド中段に、それぞれ一つのサイドリブ３５を設ける。該固定端３３を利用して該配線部品２２の定位切欠口２２４内に挿入し、且つ二つのサイドバンプ３４を以って、該サイドピット２２５内に嵌合し、更に二つのサイドリブ３５と合わせてサイドノッチ２２６内に掛合することで、該弾性抵触片３を該収納スペース２２１内に定位することができ、そして、該抵触端３１は窪み口２２２から離れる方向に向けて斜めに伸びる。上述の構造を介し、該抵触端３１の可動ルートを制限できるだけでなく、該弾性抵触片３が該配線部品２２の収納スペース２２１内において、安定した定位を形成する。該弾性抵触片３は該抵触端３１の片側において、別途収納スペース２２１外に突起するサイド凸部３２を設ける。該サイド凸部３２に突起する一つの曲面３２１を設ける。
【００３３】
ロック解除パーツ４はそれぞれ各配線部品２２のサイドに設置する。各ロック解除パーツ４は一つのプッシュパーツ４１及び該プッシュパーツ４１に弾性的に働く弾性部品４２によって構成する。該プッシュパーツ４１は局部が該溝１１１外に突出し、該プッシュパーツ４１は、該溝１１１内の片側に向けて、一つのプッシュブロック４１１を設ける。また、該ストッパー部１１２及び第二シェル１２は、該溝１１１の両端が、該プッシュブロック４１１のスライド範囲を制限することができる。
該プッシュブロック４１１が該サイド凸部３２と対応する片側に一つの凹部４１２を設け、またそれにより該サイド凸部３２はちょうど該プッシュブロック４１１が該溝１１１に沿ってスライド移動するルートの上に設置する。
【００３４】
実際応用する際、直接指で該プッシュパーツ４１を押して移動することができる。または一つの平たいツール(例えば：ドライバー)を使って、外部から該切欠口１１４を通過して該プッシュブロック４１１を押すことで、連動して該プッシュパーツ４１を移動する。
【００３５】
実行可能の一つの実施例において、該弾性部品４２は一つのスプリングとすることができる。それを溝１１１内の該第二シェル１２に近い片側に設置することができる。また、該プッシュパーツ４１に一つの凸部４１３を設け、該弾性部品４２の一端に嵌合して定位を形成する。
【００３６】
図８から図１０に示すように、本発明を使用する際、通常導線Ａを未接続の状態において、該プッシュブロック４１１は該弾性抵触片３のサイド凸部３２の横に設置する(図８に示す通り)。該導線Ａを外部から該導線ジャック１１３を通して該溝１１１内に挿入し、そして該窪み口２２２を通って該収納スペース２２１内に挿入し、且つ該弾性抵触片３の抵触端３１を押す。該弾性抵触片３は弾性的に伸縮するため、該抵触端３１は該導線Ａを通過した後に抵触状態を形成することで、該導線Ａは外向きに引き出されない(図９に示す通り)。
【００３７】
該導線Ａを外したい場合、該プッシュパーツ４１を移動(該弾性部品４２を圧縮する)し、プッシュブロック４１１を連動して該サイド凸部３２の位置を通過することができる。該弾性抵触片３の弾性力を利用することで、該曲面３２１を該凹部４１２内に抵触し、該プッシュブロック４１１を定位する。この時、該弾性抵触片３の抵触端３１は該プッシュブロック４１１の抵触を受けて該導線Ａの表面から離脱する(図１０に示す通り)。そのため、導線Ａは掛止状態を解除し、外向きに引き出すことができるようになる。仮に逆に該プッシュパーツ４１を押す場合、該弾性部品４２の弾性を利用して、該プッシュパーツ４１を元の位置に戻させることができる。
【実施例２】
【００３８】
図１１に示すように、本発明の第二実施例のプラグパーツ２０に含まれるのは、一つの導電部２０１及び前述と同じ一つの引受部品２２である。その中、該導電部２０１の一つの端面に導電ジャックを設け、前述の該導電部２１(導電柱)を挿入させて結合することができる。該導電部２０１の別端は同じく、一つの可とう性のある接続部２１１に一つの引受部２１２を設置する。該引受部２１２の上に一つの引受穴２１３を設けることで、該配線部品２２は該プラグ凸部２２３によって、挿入結合する。よって、該プラグパーツ２０はメスソケットに適用する差込構造を形成する。
【００３９】
以上の実施例による本発明の詳細な説明は本発明の範囲を制限するものではない。本技術に熟知する者は、固定構造の変更などの適当な変更および調整を行うことができ、これらの変更および調整を行っても本発明の重要な意義は失われず、本発明の範囲に含まれる。
【符号の説明】
【００４０】
１            シェルパーツ
１１          第一シェル
１１１        溝
１１２        ストッパー部
１１３        導線ジャック
１１４        切欠口
１１５        サイド突起部
１１６        定位凸部
１１７        抵触部
１２          第二シェル
１２１        凹穴
１２２        穴
１２３        凸部
１２５        サイド陥没部
１２６        定位凹部
１２７        端凹部
２、２０      プラグパーツ
２１、２０１  導電部
２１１        接続部
２１２        引受部
２１３        引受穴
２２          配線部品
２２１        収納スペース
２２２        窪み口
２２３        プラグ凸部
２２４        定位切欠口
２２５        サイドピット
２２６        サイドノッチ 
３            弾性抵触片
３１          抵触端
３２          サイド凸部
３２１        曲面
３３          固定端
３４          サイドバンプ
３５          サイドリブ
４            ロック解除パーツ
４１          プッシュパーツ
４１１        プッシュブロック
４１２        凹部
４１３        凸柱
４２          弾性部品
Ａ            導線
【図１】
2020043072.tif 000003
【図２】
2020043072.tif 000004
【図３】
2020043072.tif 000005
【図４】
2020043072.tif 000006
【図５】
2020043072.tif 000007
【図６】
2020043072.tif 000008
【図７】
2020043072.tif 000009
【図８】
2020043072.tif 000010
【図９】
2020043072.tif 000011
【図１０】
2020043072.tif 000012
【図１１】
2020043072.tif 000013